(57)【要約】【課題】この発明は、ユーザが予め設定した表示形態に基づいて、電子番組表上における番組名とその説明文とを表示または非表示させることにより、ユーザにとって効率的で見易い番組表表示を行なうことを可能とした番組表表示装置及び番組表表示方法を提供することを目的としている。【解決手段】取得した番組情報に基づいて番組毎に番組名とその説明文とを記述した電子番組表を作成する作成手段（６２）と、作成された電子番組表に対して番組名とその説明文とのいずれか一方に対する表示形態を設定する設定手段（６２ｅ）と、設定された表示形態に基づいて作成された電子番組表を番組名とその説明文とを異なる表示形態で表示させる表示手段（１４，５５，５８，５９，６２）とを備える。【選択図】      図２
2008258664.tif 000002
【特許請求の範囲】
【請求項１】
番組情報を取得する取得手段と、
前記取得手段で取得された番組情報に基づいて、番組毎に番組名とその説明文とを記述した電子番組表を作成する作成手段と、
前記作成手段で作成された電子番組表に対して、前記番組名とその説明文とのいずれか一方に対する表示形態を設定する設定手段と、
前記設定手段で設定された表示形態に基づいて、前記作成手段で作成された電子番組表を、前記番組名とその説明文とを異なる表示形態で表示させる表示手段とを具備することを特徴とする番組表表示装置。
【請求項２】
前記設定手段は、前記番組名とその説明文とのいずれか一方に対して、他方と異なるフォント、フォント色、フォントサイズ、フォント背景色のいずれかを設定することを特徴とする請求項１記載の番組表表示装置。
【請求項３】
前記設定手段は、前記番組名とその説明文とのいずれか一方を非表示にするように設定することを特徴とする請求項１記載の番組表表示装置。
【請求項４】
前記設定手段は、前記番組名とその説明文とのいずれか一方を非表示にする条件として、番組の放送時間帯、番組のジャンル、番組が有するサービス、番組のメディアタイプ、番組のキーワード、番組に付された視聴制限年齢のいずれかを設定することを特徴とする請求項３記載の番組表表示装置。
【請求項５】
放送信号を受信する受信手段と、
前記受信手段で受信した放送信号から所望のチャンネルの信号を抽出して所定の信号処理を施すことで映像信号を生成する信号処理手段と、
前記信号処理手段で得られた映像信号を出力する出力手段と、
番組情報を取得する取得手段と、
前記取得手段で取得された番組情報に基づいて、番組毎に番組名とその説明文とを記述した電子番組表を作成する作成手段と、
前記作成手段で作成された電子番組表に対して、前記番組名とその説明文とのいずれか一方に対する表示形態を設定する設定手段と、
前記設定手段で設定された表示形態に基づいて、前記作成手段で作成された電子番組表を、前記番組名とその説明文とを異なる表示形態で表示させる表示手段とを具備することを特徴とする放送受信装置。
【請求項６】
番組情報を取得する第１の工程と、
前記第１の工程で取得された番組情報に基づいて、番組毎に番組名とその説明文とを記述した電子番組表を作成する第２の工程と、
前記第２の工程で作成された電子番組表に対して、前記番組名とその説明文とのいずれか一方に対する表示形態を設定する第３の工程と、
前記第３の工程で設定された表示形態に基づいて、前記第２の工程で作成された電子番組表を、前記番組名とその説明文とを異なる表示形態で表示させる第４の工程とを具備することを特徴とする番組表表示方法。
【発明の詳細な説明】
【技術分野】
【０００１】
この発明は、例えばデジタルテレビジョン放送受信装置等に使用して好適する番組表表示装置及び番組表表示方法に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなデジタルテレビジョン放送を受信するデジタル放送受信装置にあっては、放送信号から取得したＥＰＧ（electronic program guide）情報に基づいて電子番組表を作成し、画面に映像表示している。そして、ユーザは、映像表示された電子番組表から所望の番組を選択して、視聴や録画予約等を行なうことができる。
【０００４】
ところで、現在、デジタルテレビジョン放送において、ＥＰＧ情報には、放送される多数のチャンネルのそれぞれに対して、１週間先までの電子番組表を作成可能な情報が含まれている。また、ラジオ放送の場合、ＥＰＧ情報には、放送される各チャンネルのそれぞれに対して、３日先までの電子番組表を作成可能な情報が含まれている。
【０００５】
このため、デジタル放送受信装置においては、限られた画面内に全ての電子番組表を同時に表示させることはできないので、画面上で電子番組表を部分的に切り換えながら表示させるようにしている。しかしながら、このような表示形態を採用しても、実際上、画面内で電子番組表はかなり過密に表示されるため、ユーザがより一層見易くなるように表示に工夫を施すことが重要となる。
【０００６】
特許文献１には、電子番組表にて強調表示をする番組のジャンルを選択するためのジャンル選択画面上にて強調表示をする番組のジャンルが選択され、その選択されたジャンルと一致するジャンルの番組紹介欄が電子番組表上にある場合、その番組紹介欄を強調表示した電子番組表を表示させるようにした構成が開示されている。
【特許文献１】特開２００７−０１９９２７号公報
【発明の開示】
【発明が解決しようとする課題】
【０００７】
そこで、この発明は上記事情を考慮してなされたもので、ユーザが予め設定した表示形態に基づいて、電子番組表上における番組名とその説明文とを表示または非表示させることにより、ユーザにとって効率的で見易い番組表表示を行なうことを可能とした番組表表示装置及び番組表表示方法を提供することを目的とする。
【課題を解決するための手段】
【０００８】
この発明に係る番組表表示装置は、番組情報を取得する取得手段と、取得手段で取得された番組情報に基づいて、番組毎に番組名とその説明文とを記述した電子番組表を作成する作成手段と、作成手段で作成された電子番組表に対して、番組名とその説明文とのいずれか一方に対する表示形態を設定する設定手段と、設定手段で設定された表示形態に基づいて、作成手段で作成された電子番組表を、番組名とその説明文とを異なる表示形態で表示させる表示手段とを備えるようにしたものである。
【０００９】
また、この発明に係る番組表表示方法は、番組情報を取得する第１の工程と、第１の工程で取得された番組情報に基づいて、番組毎に番組名とその説明文とを記述した電子番組表を作成する第２の工程と、第２の工程で作成された電子番組表に対して、番組名とその説明文とのいずれか一方に対する表示形態を設定する第３の工程と、第３の工程で設定された表示形態に基づいて、第２の工程で作成された電子番組表を、番組名とその説明文とを異なる表示形態で表示させる第４の工程とを備えるようにしたものである。
【発明の効果】
【００１０】
上記した発明によれば、作成された電子番組表に対して番組名とその説明文とのいずれか一方に対する表示形態を設定し、作成された電子番組表を設定された表示形態に基づいて番組名とその説明文とを異なる表示形態で表示させるようにしたので、ユーザが予め設定した表示形態に基づいて、電子番組表上における番組名とその説明文とを表示または非表示させることができ、ユーザにとって効率的で見易い番組表表示を行なうことが可能となる。
【発明を実施するための最良の形態】
【００１１】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１２】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等を備えた平面パネル型ディスプレイである映像表示器１４、スピーカ１５、操作部１６、リモートコントローラ１７から送信される操作情報を受ける受光部１８等が設置されている。
【００１３】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１４】
さらに、このデジタルテレビジョン放送受信装置１１には、例えば契約情報等の記録された第２のメモリカード［ＩＣ（integrated circuit）カード］２０が着脱可能となっている。そして、この第２のメモリカード２０に対して契約情報の再生が行なわれるようになっている。
【００１５】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ（institute of electrical and electronics engineers）１３９４端子２４を備えている。
【００１６】
このうち、第１のＬＡＮ端子２１は、ＬＡＮ対応ＨＤＤ専用ポートとして使用されるもので、接続されたＮＡＳ（network attached storage）であるＬＡＮ対応のＨＤＤ（hard disk drive）２５に対して、イーサネット（登録商標）により情報の記録再生を行なうために使用される。
【００１７】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００１８】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、デジタル放送受信機能を有するＨＤＤ内蔵のＤＶＤ（digital versatile disk）レコーダ２９等の機器を接続し、これらの機器と情報伝送を行なうために使用される。
【００１９】
さらに、この第２のＬＡＮ端子２２は、ハブ２６に接続されたブロードバンドルータ３０を介して、例えばインターネット等のネットワーク３１に接続し、そのネットワーク３１を介してＰＣ３２や携帯電話３３等と情報伝送を行なうために使用される。
【００２０】
また、上記ＵＳＢ端子２３は、一般的なＵＳＢ対応ポートとして使用されるもので、例えばハブ３４を介して、携帯電話３５、デジタルカメラ３６、メモリカードに対するカードリーダ／ライタ３７、ＨＤＤ３８、キーボード３９等のＵＳＢ機器を接続し、これらのＵＳＢ機器と情報伝送を行なうために使用される。
【００２１】
さらに、上記ＩＥＥＥ１３９４端子２４は、例えば、それぞれがデジタル放送受信機能を有するＡＶ（audio video）−ＨＤＤ４０やＤ（digital）−ＶＨＳ（video home system）４１等をシリアル接続し、これらの機器と情報伝送を行なうために使用される。
【００２２】
図２は、上記したデジタルテレビジョン放送受信装置１１の主要な信号処理系を示している。すなわち、ＢＳ／ＣＳデジタル放送受信用のアンテナ４２で受信した衛星デジタル放送信号は、入力端子４３を介して衛星デジタル放送用のチューナ４４に供給されることにより、所望のチャンネルの放送信号が選局される。
【００２３】
そして、このチューナ４４で選局された放送信号は、ＰＳＫ（phase shift keying）復調器４５に供給されてＴＳ（transport stream）が復調される。このＴＳは、ＴＳ復号器４６に供給されてデジタルの映像信号及び音声信号等に復号化された後、信号処理部４７に出力される。
【００２４】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２５】
そして、このチューナ５０で選局された放送信号は、ＯＦＤＭ（orthogonal frequency division multiplexing）復調器５１に供給されてＴＳが復調される。このＴＳは、ＴＳ復号器５２に供給されてデジタルの映像信号及び音声信号に復号化された後、上記信号処理部４７に出力される。
【００２６】
また、上記地上波放送受信用のアンテナ４８で受信した地上アナログテレビジョン放送信号は、入力端子４９を介して地上アナログ放送用のチューナ５３に供給されることにより、所望のチャンネルの放送信号が選局される。そして、このチューナ５３で選局された放送信号は、アナログ復調器５４に供給されてアナログの映像信号及び音声信号に復調された後、上記信号処理部４７に出力される。
【００２７】
ここで、上記信号処理部４７は、ＴＳ復号器４６，５２からそれぞれ供給されたデジタルの映像信号及び音声信号に対して、選択的に所定のデジタル信号処理を施し、グラフィックス処理部５５及び音声処理部５６に出力している。
【００２８】
また、上記信号処理部４７には、複数（図示の場合は４つ）の入力端子５７ａ，５７ｂ，５７ｃ，５７ｄが接続されている。これら入力端子５７ａ〜５７ｄは、それぞれ、アナログの映像信号及び音声信号を、デジタルテレビジョン放送受信装置１１の外部から入力可能とするものである。
【００２９】
そして、この信号処理部４７は、上記アナログ復調器５４及び各入力端子５７ａ〜５７ｄからそれぞれ供給されたアナログの映像信号及び音声信号を選択的にデジタル化し、そのデジタル化された映像信号及び音声信号に対して所定のデジタル信号処理を施した後、グラフィックス処理部５５及び音声処理部５６に出力している。
【００３０】
このうち、グラフィックス処理部５５は、信号処理部４７から供給されるデジタルの映像信号に、ＯＳＤ（on screen display）信号生成部５８で生成されるＯＳＤ信号を重畳して出力する機能を有する。このグラフィックス処理部５５は、信号処理部４７の出力映像信号と、ＯＳＤ信号生成部５８の出力ＯＳＤ信号とを選択的に出力すること、また、両出力をそれぞれ画面の半分を構成するように組み合わせて出力することができる。
【００３１】
そして、グラフィックス処理部５５から出力されたデジタルの映像信号は、映像処理部５９に供給される。この映像処理部５９は、入力されたデジタルの映像信号を、前記映像表示器１４で表示可能なフォーマットのアナログ映像信号に変換した後、映像表示器１４に出力して映像表示させるとともに、出力端子６０を介して外部に導出させる。
【００３２】
また、上記音声処理部５６は、入力されたデジタルの音声信号を、前記スピーカ１５で再生可能なフォーマットのアナログ音声信号に変換した後、スピーカ１５に出力して音声再生させるとともに、出力端子６１を介して外部に導出させる。
【００３３】
ここで、このデジタルテレビジョン放送受信装置１１は、上記した各種の受信動作を含むその全ての動作を制御部６２によって統括的に制御されている。この制御部６２は、ＣＰＵ（central processing unit）６２ａを内蔵しており、前記操作部１６からの操作情報を受け、または、リモートコントローラ１７から送出された操作情報を前記受光部１８を介して受信し、その操作内容が反映されるように各部をそれぞれ制御している。
【００３４】
この場合、制御部６２は、主として、そのＣＰＵ６２ａが実行する制御プログラムを格納したＲＯＭ（read only memory）６２ｂと、該ＣＰＵ６２ａに作業エリアを提供するＲＡＭ（random access memory）６２ｃと、各種の設定情報及び制御情報等が格納される不揮発性メモリ６２ｄとを利用している。
【００３５】
また、この制御部６２は、カードＩ／Ｆ（interface）６３を介して、前記第１のメモリカード１９が装着可能なカードホルダ６４に接続されている。これによって、制御部６２は、カードホルダ６４に装着された第１のメモリカード１９と、カードＩ／Ｆ６３を介して情報伝送を行なうことができる。
【００３６】
さらに、上記制御部６２は、カードＩ／Ｆ６５を介して、前記第２のメモリカード２０が装着可能なカードホルダ６６に接続されている。これにより、制御部６２は、カードホルダ６６に装着された第２のメモリカード２０と、カードＩ／Ｆ６５を介して情報伝送を行なうことができる。
【００３７】
また、上記制御部６２は、通信Ｉ／Ｆ６７を介して第１のＬＡＮ端子２１に接続されている。これにより、制御部６２は、第１のＬＡＮ端子２１に接続されたＬＡＮ対応のＨＤＤ２５と、通信Ｉ／Ｆ６７を介して情報伝送を行なうことができる。この場合、制御部６２は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００３８】
さらに、上記制御部６２は、通信Ｉ／Ｆ６８を介して第２のＬＡＮ端子２２に接続されている。これにより、制御部６２は、第２のＬＡＮ端子２２に接続された各機器（図１参照）と、通信Ｉ／Ｆ６８を介して情報伝送を行なうことができる。
【００３９】
また、上記制御部６２は、ＵＳＢ Ｉ／Ｆ６９を介して前記ＵＳＢ端子２３に接続されている。これにより、制御部６２は、ＵＳＢ端子２３に接続された各機器（図１参照）と、ＵＳＢ Ｉ／Ｆ６９を介して情報伝送を行なうことができる。
【００４０】
さらに、上記制御部６２は、ＩＥＥＥ１３９４ Ｉ／Ｆ７０を介してＩＥＥＥ１３９４端子２４に接続されている。これにより、制御部６２は、ＩＥＥＥ１３９４端子２４に接続された各機器（図１参照）と、ＩＥＥＥ１３９４ Ｉ／Ｆ７０を介して情報伝送を行なうことができる。
【００４１】
また、上記制御部６２は、表示設定部６２ｅを備えている。この表示設定部６２ｅは、ユーザが映像表示器１４に表示された電子番組表の表示形態を変更するための設定メニューを表示させる機能を有している。この設定メニュー上で、ユーザが操作部１６またはリモートコントローラ１７を操作して設定した表示形態に基づいて、詳細は後述するが、各番組の番組名やその説明文の表示形態を変更したり、説明文を非表示にしたりすることが可能となる。
【００４２】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４３】
ここで、このデジタルテレビジョン放送受信装置１１では、ユーザがリモートコントローラ１７の番組表キー１７ｈを操作することにより、電子番組表を映像表示器１４に表示させることができる。
【００４４】
この電子番組表は、予め放送信号やネットワーク等を介して取得した番組情報であるＥＰＧ情報に基づいて作成されるもので、テレビジョン放送の場合、１週間先までの全番組表が作成されて、映像表示器１４で表示されるようになっている。
【００４５】
ただし、この作成された１週間分の電子番組表は、その全てが映像表示器１４に一括表示されるわけではなく、所定のチャンネル数及び所定の日時範囲でなる一定の領域が、映像表示器１４に表示されることになる。
【００４６】
そして、ユーザは、映像表示器１４の画面上で電子番組表をスクロールさせたり、映像表示器１４の１画面単位で電子番組表の表示させる領域を切り替えたりすることにより、電子番組表内の所望の領域を視認することができる。
【００４７】
なお、ユーザがリモートコントローラ１７の番組表キー１７ｈを操作したとき、映像表示器１４に最初に表示される電子番組表の領域は、前回に表示されたチャンネルや日時等のラスト条件に基づいて決定される。
【００４８】
図４は、映像表示器１４に表示された電子番組表の表示形態の一例を示している。この電子番組表は、水平方向が複数（図示の場合は６つ）の放送局（チャンネル）を配列したチャンネル軸となり、垂直方向が数時間（図示の場合は５時間）分の時間範囲に対応した時間軸となって、番組を表示している。
【００４９】
すなわち、この電子番組表は、その中央部に、６つの放送局（チャンネル）に対応して水平方向に配列された６つの番組表示欄を有している。これら６つの番組表示欄には、それぞれ、チャンネル番号０１１，０２１，１４１，１５１，１６１，１７１と、放送局名Ａ，Ｂ，Ｃ，Ｄ，Ｅ，Ｆと、各番組に対応した番組欄Ａ１〜Ａ６，Ｂ１〜Ｂ５，Ｃ１〜Ｃ５，Ｄ１〜Ｄ５，Ｅ１〜Ｅ５，Ｆ１〜Ｆ５とが記述されている。
【００５０】
また、この電子番組表では、その図中上部に、現在受信している放送の種類が地上デジタルテレビジョン放送であることを示す「地上Ｄテレビ」なる表示と、現在日時が１０月２８日の土曜日の午前９時１３分であることを示す「現在日時 １０／２８（土） ＡＭ９：１３」なる表示と、表示可能な電子番組表の日（曜日）の範囲を示す表示とが行なわれるようになっている。
【００５１】
すなわち、今、電子番組表は、現在日時が１０月２８日（土）の午前９時１３分であるため、１０月２８日（土）の午前９時から、その１週間後である１１月４日（土）の午前８時台（午前９時未満）までの分が作成されている。そして、表示可能な電子番組表の日（曜日）の範囲は、現在の日（曜日）を含めて１週間先までの日（曜日）、つまり、１０／２８（土），２９（日），３０（月），３１（火），１１／１（水），２（木），３（金），４（土）なる８日間が順次並べて表示されたものとなっている。この場合、現在表示されている電子番組表の日（曜日）を示す文字［４（土）］が、他の日（曜日）を示す文字よりも拡大して表示されるようにしている。
【００５２】
また、この電子番組表では、その図中下部に、現在選択されている（電子番組表上でカーソルによって指示されている）番組について、放送の種類（地上Ｄ）、チャンネル番号（１５１ｃｈ）、番組名及び放送時間（ＡＭ９：００〜ＡＭ９：５０）等を表示している。この場合、現在選択されている番組に対応する番組欄Ｄ３は、その電子番組表内における表示領域が他の番組の表示領域と色を変えて表示されることがカーソルで指示されていることになるが、図４では、ハッチングで囲むことにより表現している。
【００５３】
さらに、この電子番組表では、その左右に、上から下に向けて、５時間分の時間範囲を１時間単位で区切って表示するための領域が設けられている。図４では、図中上から下に向けて、午前４時台、午前５時台、午前６時台、午前７時台、午前８時台を示す５時間分が表示されている。
【００５４】
また、この電子番組表には、その図中下部に、上記リモートコントローラ１７のカラーキー１７ｍの各色（青，赤，緑，黄）にそれぞれ対応させて、その色のカラーキー１７ｍが操作されたときに実現される機能が表示されている。
【００５５】
そして、この電子番組表は、リモートコントローラ１７のカーソルキー１７ｆを操作することにより、上下左右方向に選択的にスクロールさせることが可能である。また、リモートコントローラ１７のページ切換キー１７ｉを操作すれば、電子番組表を１画面単位で上下左右方向に選択的にスキップさせることが可能である。
【００５６】
ここで、今、上記表示設定部６２ｅによる設定メニュー上で、各番組欄における番組名を番組説明文とは異なるフォントで表示するように設定しているとする。すると、ユーザがリモートコントローラ１７の番組表キー１７ｈを操作して電子番組表を表示させた際、図５に示すように、番組名「ニュース」が説明文とは異なるフォントで強調して表示されるようになる。
【００５７】
なお、図５は、映像表示器１４に表示されている電子番組表の１つの番組欄を取り出して示したもので、この番組欄には、番組の開始時間「００分」と、番組名「ニュース」と、番組説明文とが記述されている。そして、ユーザが設定したフォントで番組名を表示させることにより、番組名が説明文に比して強調して表示されるようになり、ユーザにとって効率的で見易い番組表表示を行なうことができるようになる。
【００５８】
図６は、番組名がその説明文とは異なるフォントで表示するように予め設定されている場合における、電子番組表の表示動作をまとめたフローチャートを示している。この表示動作は、ユーザがリモートコントローラ１７の番組表キー１７ｈを操作することにより開始（ステップＳ６ａ）される。
【００５９】
すると、制御部６２は、ステップＳ６ｂで、番組情報を取得し、ステップＳ６ｃで、取得した番組情報から番組名を取得し、ステップＳ６ｄで、取得した番組名に説明文と異なるフォントを設定する。そして、制御部６２は、ステップＳ６ｅで、先に設定したフォントで番組名を表示させる。
【００６０】
その後、制御部６２は、ステップＳ６ｆで、先に取得した番組情報から説明文を取得し、ステップＳ６ｇで、取得した説明文を本来のフォントで表示させる。そして、制御部６２は、ステップＳ６ｈで、最後の番組であるか否かを判別し、最後の番組でないと判断された場合（ＮＯ）、ステップＳ６ｂの処理に戻され、最後の番組であると判断された場合（ＹＥＳ）、処理が終了（ステップＳ６ｉ）される。
【００６１】
番組名とその説明文とを異なるフォントで表示させることにより、電子番組表上で番組名とその説明文とを識別し易くなる。
【００６２】
また、上記表示設定部６２ｅによる設定メニュー上で、各番組欄における番組説明文を番組名とは異なるフォント色で表示するように設定しているとする。すると、ユーザがリモートコントローラ１７の番組表キー１７ｈを操作して電子番組表を表示させた際、図７に示すように、番組説明文が番組名「ニュース」とは異なるフォント色で表示されるようになる。
【００６３】
図８は、番組説明文が番組名とは異なるフォント色で表示するように予め設定されている場合における、電子番組表の表示動作をまとめたフローチャートを示している。この表示動作は、ユーザがリモートコントローラ１７の番組表キー１７ｈを操作することにより開始（ステップＳ８ａ）される。
【００６４】
すると、制御部６２は、ステップＳ８ｂで、番組情報を取得し、ステップＳ８ｃで、取得した番組情報から番組名を取得し、ステップＳ８ｄで、取得した番組名を本来のフォント色で表示させる。
【００６５】
その後、制御部６２は、ステップＳ８ｅで、先に取得した番組情報から説明文を取得し、ステップＳ８ｆで、取得した説明文に番組名と異なるフォント色を設定し、ステップＳ８ｇで、先に設定したフォント色で説明文を表示させる。
【００６６】
そして、制御部６２は、ステップＳ８ｈで、最後の番組であるか否かを判別し、最後の番組でないと判断された場合（ＮＯ）、ステップＳ８ｂの処理に戻され、最後の番組であると判断された場合（ＹＥＳ）、処理が終了（ステップＳ８ｉ）される。
【００６７】
番組名とその説明文とを異なるフォント色で表示させることにより、電子番組表上で番組名とその説明文とを識別し易くなる。
【００６８】
また、上記表示設定部６２ｅによる設定メニュー上で、各番組欄における番組説明文を番組名とは異なるフォントサイズで表示するように設定しているとする。すると、ユーザがリモートコントローラ１７の番組表キー１７ｈを操作して電子番組表を表示させた際、図９に示すように、番組説明文が番組名「ニュース」とは異なるフォントサイズで表示されるようになる。
【００６９】
図１０は、番組説明文が番組名とは異なるフォントサイズで表示するように予め設定されている場合における、電子番組表の表示動作をまとめたフローチャートを示している。この表示動作は、ユーザがリモートコントローラ１７の番組表キー１７ｈを操作することにより開始（ステップＳ１０ａ）される。
【００７０】
すると、制御部６２は、ステップＳ１０ｂで、番組情報を取得し、ステップＳ１０ｃで、取得した番組情報から番組名を取得し、ステップＳ１０ｄで、取得した番組名を本来のフォントサイズで表示させる。
【００７１】
その後、制御部６２は、ステップＳ１０ｅで、先に取得した番組情報から説明文を取得し、ステップＳ１０ｆで、取得した説明文に番組名と異なるフォントサイズを設定し、ステップＳ１０ｇで、先に設定したフォントサイズで説明文を表示させる。
【００７２】
そして、制御部６２は、ステップＳ１０ｈで、最後の番組であるか否かを判別し、最後の番組でないと判断された場合（ＮＯ）、ステップＳ１０ｂの処理に戻され、最後の番組であると判断された場合（ＹＥＳ）、処理が終了（ステップＳ１０ｉ）される。
【００７３】
番組名とその説明文とを異なるフォントサイズで表示させることにより、電子番組表上で番組名とその説明文とを識別し易くなる。
【００７４】
また、上記表示設定部６２ｅによる設定メニュー上で、各番組欄における番組名のフォント背景色を、説明文のフォント背景色とは異なる色で表示するように設定しているとする。すると、ユーザがリモートコントローラ１７の番組表キー１７ｈを操作して電子番組表を表示させた際、図１１に示すように、番組名「ニュース」のフォント背景色が説明文のフォント背景色とは異なる色で表示されるようになる。
【００７５】
図１２は、番組名のフォント背景色を説明文のフォント背景色とは異なる色で表示するように予め設定されている場合における、電子番組表の表示動作をまとめたフローチャートを示している。この表示動作は、ユーザがリモートコントローラ１７の番組表キー１７ｈを操作することにより開始（ステップＳ１２ａ）される。
【００７６】
すると、制御部６２は、ステップＳ１２ｂで、番組情報を取得し、ステップＳ１２ｃで、取得した番組情報から番組名を取得し、ステップＳ１２ｄで、取得した番組名のフォント背景色を説明文のフォント背景色と異なる色に設定する。そして、制御部６２は、ステップＳ１２ｅで、先に設定したフォント背景色で番組名を表示させる。
【００７７】
その後、制御部６２は、ステップＳ１２ｆで、先に取得した番組情報から説明文を取得し、ステップＳ１２ｇで、取得した説明文を本来のフォント背景色で表示させる。そして、制御部６２は、ステップＳ１２ｈで、最後の番組であるか否かを判別し、最後の番組でないと判断された場合（ＮＯ）、ステップＳ１２ｂの処理に戻され、最後の番組であると判断された場合（ＹＥＳ）、処理が終了（ステップＳ１２ｉ）される。
【００７８】
番組名とその説明文とを異なるフォント背景色で表示させることにより、電子番組表上で番組名とその説明文とを識別し易くなる。
【００７９】
次に、図１３は、上記表示設定部６２ｅによる設定メニュー上で、各番組欄における番組説明文を非表示に設定している場合における、電子番組表の表示動作をまとめたフローチャートを示している。この表示動作は、ユーザがリモートコントローラ１７の番組表キー１７ｈを操作することにより開始（ステップＳ１３ａ）される。
【００８０】
すると、制御部６２は、ステップＳ１３ｂで、表示設定部６２ｅに設定された説明文の表示形態を示す情報を取得する。そして、制御部６２は、ステップＳ１３ｃで、番組情報を取得し、ステップＳ１３ｄで、取得した番組情報から番組名を取得し、ステップＳ１３ｅで、取得した番組名を表示させる。
【００８１】
その後、制御部６２は、ステップＳ１３ｆで、先に取得した説明文の表示形態を示す情報から、説明文の表示形態はオン（表示）に設定されているか否かを判別し、オンに設定されていないと判断された場合（ＮＯ）、説明文が非表示に設定されていると判断し、ステップＳ１３ｃの処理に戻される。
【００８２】
また、上記ステップＳ１３ｆで説明文の表示形態がオン（表示）に設定されていると判断された場合（ＹＥＳ）、制御部６２は、ステップＳ１３ｇで、先に取得した番組情報から説明文を取得し、ステップＳ１３ｈで、取得した説明文を表示させる。そして、制御部６２は、ステップＳ１３ｉで、最後の番組であるか否かを判別し、最後の番組でないと判断された場合（ＮＯ）、ステップＳ１３ｂの処理に戻され、最後の番組であると判断された場合（ＹＥＳ）、処理が終了（ステップＳ１３ｊ）される。
【００８３】
ユーザの設定により不要な説明文を非表示にできるようにしたので、電子番組表を見易くすることができる。また、説明文を非表示にすることにより、文字の表示量を調節することも可能となる。なお、図１３の説明では、説明文を非表示にするようにしたが、これは番組名を非表示に制御してもよいものである。
【００８４】
また、図１４は、上記表示設定部６２ｅによる設定メニュー上で設定した放送時間帯だけ、各番組欄における番組説明文を非表示にするように設定している場合における、電子番組表の表示動作をまとめたフローチャートを示している。この表示動作は、ユーザがリモートコントローラ１７の番組表キー１７ｈを操作することにより開始（ステップＳ１４ａ）される。
【００８５】
すると、制御部６２は、ステップＳ１４ｂで、表示設定部６２ｅに設定された放送時間帯を示す情報を取得する。そして、制御部６２は、ステップＳ１４ｃで、番組情報を取得し、ステップＳ１４ｄで、取得した番組情報から番組名を取得し、ステップＳ１４ｅで、取得した番組名を表示させ、ステップＳ１４ｆで、先に取得した番組情報から説明文を取得する。
【００８６】
その後、制御部６２は、ステップＳ１４ｇで、現在の番組放送時間帯が先に表示設定部６２ｅから取得した放送時間帯と重なっているか否かを判別し、重なっていないと判断された場合（ＮＯ）、ステップＳ１４ｈで、説明文を表示させ、重なっていると判断された場合（ＹＥＳ）、ステップＳ１４ｉで、説明文を非表示に設定する。
【００８７】
そして、上記ステップＳ１４ｈまたはステップＳ１４ｉの後、制御部６２は、ステップＳ１４ｊで、最後の番組であるか否かを判別し、最後の番組でないと判断された場合（ＮＯ）、ステップＳ１４ｃの処理に戻され、最後の番組であると判断された場合（ＹＥＳ）、処理が終了（ステップＳ１４ｋ）される。
【００８８】
ユーザの設定した放送時間帯の番組の説明文を非表示にできるようにしたので、例えば深夜など子供に見せたくない時間帯の番組の説明文を表示制御することができるようになる。
【００８９】
また、図１５は、上記表示設定部６２ｅによる設定メニュー上で設定したジャンルの番組だけ、各番組欄における番組説明文を表示するように設定している場合における、電子番組表の表示動作をまとめたフローチャートを示している。この表示動作は、ユーザがリモートコントローラ１７の番組表キー１７ｈを操作することにより開始（ステップＳ１５ａ）される。
【００９０】
すると、制御部６２は、ステップＳ１５ｂで、表示設定部６２ｅに設定されたジャンルを示す情報を取得する。そして、制御部６２は、ステップＳ１５ｃで、番組情報を取得し、ステップＳ１５ｄで、取得した番組情報から番組名を取得し、ステップＳ１５ｅで、取得した番組名を表示させ、ステップＳ１５ｆで、先に取得した番組情報から説明文を取得する。
【００９１】
その後、制御部６２は、ステップＳ１５ｇで、電子番組表に表示する番組のジャンルが先に表示設定部６２ｅから取得したジャンルと一致しているか否かを判別し、一致していないと判断された場合（ＮＯ）、説明文が非表示に設定されていると判断し、ステップＳ１５ｃの処理に戻される。
【００９２】
また、上記ステップＳ１５ｇでジャンルが一致していると判断された場合（ＹＥＳ）、制御部６２は、ステップＳ１５ｈで、説明文を表示させる。その後、制御部６２は、ステップＳ１５ｉで、最後の番組であるか否かを判別し、最後の番組でないと判断された場合（ＮＯ）、ステップＳ１５ｃの処理に戻され、最後の番組であると判断された場合（ＹＥＳ）、処理が終了（ステップＳ１５ｊ）される。
【００９３】
ユーザの設定したジャンルの番組の説明文だけを表示できるようにしたので、必要な番組の説明文だけに絞り込むことができ、電子番組表を見易くすることができる。
【００９４】
また、図１６は、上記表示設定部６２ｅによる設定メニュー上で設定したサービスに一致するサービスを有する番組だけ、各番組欄における番組説明文を非表示にするように設定している場合における、電子番組表の表示動作をまとめたフローチャートを示している。この表示動作は、ユーザがリモートコントローラ１７の番組表キー１７ｈを操作することにより開始（ステップＳ１６ａ）される。
【００９５】
すると、制御部６２は、ステップＳ１６ｂで、表示設定部６２ｅに設定されたサービスを示す情報を取得する。そして、制御部６２は、ステップＳ１６ｃで、番組情報を取得し、ステップＳ１６ｄで、取得した番組情報から番組名を取得し、ステップＳ１６ｅで、取得した番組名を表示させ、ステップＳ１６ｆで、先に取得した番組情報から説明文を取得する。
【００９６】
その後、制御部６２は、ステップＳ１６ｇで、電子番組表に表示する番組のサービスが先に表示設定部６２ｅから取得したサービスと一致しているか否かを判別し、一致していないと判断された場合（ＮＯ）、ステップＳ１６ｈで、説明文を表示させ、一致していると判断された場合（ＹＥＳ）、ステップＳ１６ｉで、説明文を非表示に設定する。
【００９７】
そして、上記ステップＳ１６ｈまたはステップＳ１６ｉの後、制御部６２は、ステップＳ１６ｊで、最後の番組であるか否かを判別し、最後の番組でないと判断された場合（ＮＯ）、ステップＳ１６ｃの処理に戻され、最後の番組であると判断された場合（ＹＥＳ）、処理が終了（ステップＳ１６ｋ）される。
【００９８】
ユーザの設定したサービスと同じサービスを有する番組の説明文を非表示にできるようにしたので、例えば子供に見せたくないサービスの番組の説明文を表示制御することができるようになる。
【００９９】
また、図１７は、上記表示設定部６２ｅによる設定メニュー上で設定したメディアタイプ（例えばテレビジョン、ラジオ等）と一致するメディアタイプの番組だけ、各番組欄における番組説明文を表示するように設定している場合における、電子番組表の表示動作をまとめたフローチャートを示している。この表示動作は、ユーザがリモートコントローラ１７の番組表キー１７ｈを操作することにより開始（ステップＳ１７ａ）される。
【０１００】
すると、制御部６２は、ステップＳ１７ｂで、表示設定部６２ｅに設定されたメディアタイプを示す情報を取得する。そして、制御部６２は、ステップＳ１７ｃで、番組情報を取得し、ステップＳ１７ｄで、取得した番組情報から番組名を取得し、ステップＳ１７ｅで、取得した番組名を表示させる。
【０１０１】
その後、制御部６２は、ステップＳ１７ｆで、電子番組表に表示する番組のメディアタイプが先に表示設定部６２ｅから取得したメディアタイプと一致しているか否かを判別し、一致していないと判断された場合（ＮＯ）、説明文が非表示に設定されていると判断し、ステップＳ１７ｃの処理に戻される。
【０１０２】
また、上記ステップＳ１７ｆでメディアタイプが一致していると判断された場合（ＹＥＳ）、制御部６２は、ステップＳ１７ｇで、先に取得した番組情報から説明文を取得し、ステップＳ１７ｈで、取得した説明文を表示させる。そして、制御部６２は、ステップＳ１７ｉで、最後の番組であるか否かを判別し、最後の番組でないと判断された場合（ＮＯ）、ステップＳ１７ｃの処理に戻され、最後の番組であると判断された場合（ＹＥＳ）、処理が終了（ステップＳ１７ｊ）される。
【０１０３】
ユーザの設定したメディアタイプの番組の説明文だけを表示するようにしたので、電子番組表を見易くすることができる。
【０１０４】
また、図１８は、上記表示設定部６２ｅによる設定メニュー上で設定したキーワードと一致するキーワードを有する番組だけ、各番組欄における番組説明文を表示するように設定している場合における、電子番組表の表示動作をまとめたフローチャートを示している。この表示動作は、ユーザがリモートコントローラ１７の番組表キー１７ｈを操作することにより開始（ステップＳ１８ａ）される。
【０１０５】
すると、制御部６２は、ステップＳ１８ｂで、表示設定部６２ｅに設定されたキーワードを示す情報を取得する。そして、制御部６２は、ステップＳ１８ｃで、番組情報を取得し、ステップＳ１８ｄで、取得した番組情報から番組名を取得し、ステップＳ１８ｅで、取得した番組名を表示させる。
【０１０６】
その後、制御部６２は、ステップＳ１８ｆで、電子番組表に表示する番組のキーワードが先に表示設定部６２ｅから取得したキーワードと一致しているか否かを判別し、一致していないと判断された場合（ＮＯ）、説明文が非表示に設定されていると判断し、ステップＳ１８ｃの処理に戻される。
【０１０７】
また、上記ステップＳ１８ｆでキーワードが一致していると判断された場合（ＹＥＳ）、制御部６２は、ステップＳ１８ｇで、先に取得した番組情報から説明文を取得し、ステップＳ１８ｈで、取得した説明文を表示させる。そして、制御部６２は、ステップＳ１８ｉで、最後の番組であるか否かを判別し、最後の番組でないと判断された場合（ＮＯ）、ステップＳ１８ｃの処理に戻され、最後の番組であると判断された場合（ＹＥＳ）、処理が終了（ステップＳ１８ｊ）される。
【０１０８】
ユーザの設定したキーワードを含む番組の説明文だけを表示するようにしたので、ユーザの知りたい説明だけを容易に取得することができるようになる。
【０１０９】
また、図１９は、上記表示設定部６２ｅによる設定メニュー上で設定した視聴制限年齢が、番組に付された視聴制限年齢よりも高いとき、その番組だけ、各番組欄における番組説明文を表示するように設定している場合における、電子番組表の表示動作をまとめたフローチャートを示している。この表示動作は、ユーザがリモートコントローラ１７の番組表キー１７ｈを操作することにより開始（ステップＳ１９ａ）される。
【０１１０】
すると、制御部６２は、ステップＳ１９ｂで、表示設定部６２ｅに設定された視聴制限年齢を示す情報を取得する。そして、制御部６２は、ステップＳ１９ｃで、番組情報を取得し、ステップＳ１９ｄで、取得した番組情報から番組名を取得し、ステップＳ１９ｅで、取得した番組名を表示させる。
【０１１１】
その後、制御部６２は、ステップＳ１９ｆで、電子番組表に表示する番組に付された視聴制限年齢よりも先に表示設定部６２ｅから取得した視聴制限年齢の方が高いか否かを判別し、高くないと判断された場合（ＮＯ）、説明文が非表示に設定されていると判断し、ステップＳ１９ｃの処理に戻される。
【０１１２】
また、上記ステップＳ１９ｆでユーザの設定した視聴制限年齢の方が高いと判断された場合（ＹＥＳ）、制御部６２は、ステップＳ１９ｇで、先に取得した番組情報から説明文を取得し、ステップＳ１９ｈで、取得した説明文を表示させる。そして、制御部６２は、ステップＳ１９ｉで、最後の番組であるか否かを判別し、最後の番組でないと判断された場合（ＮＯ）、ステップＳ１９ｃの処理に戻され、最後の番組であると判断された場合（ＹＥＳ）、処理が終了（ステップＳ１９ｊ）される。
【０１１３】
ユーザの設定した視聴制限年齢の方が番組に付された視聴制限年齢よりも高い場合のみ、その番組の説明文を表示するようにしたので、視聴年齢制限により見せたくない番組の説明文を表示制御することができるようになる。
【０１１４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【０１１５】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置で表示される電子番組表の一例を説明するために示す図。
【図５】同実施の形態における電子番組表の１つの番組欄を示すもので、番組名とその説明文とでフォントを異ならせた表示形態を説明するために示す図。
【図６】同実施の形態における番組名とその説明文とでフォントを異ならせた場合の表示動作を説明するために示すフローチャート。
【図７】同実施の形態における電子番組表の１つの番組欄を示すもので、番組名とその説明文とでフォント色を異ならせた表示形態を説明するために示す図。
【図８】同実施の形態における番組名とその説明文とでフォント色を異ならせた場合の表示動作を説明するために示すフローチャート。
【図９】同実施の形態における電子番組表の１つの番組欄を示すもので、番組名とその説明文とでフォントサイズを異ならせた表示形態を説明するために示す図。
【図１０】同実施の形態における番組名とその説明文とでフォントサイズを異ならせた場合の表示動作を説明するために示すフローチャート。
【図１１】同実施の形態における電子番組表の１つの番組欄を示すもので、番組名とその説明文とでフォント背景色を異ならせた表示形態を説明するために示す図。
【図１２】同実施の形態における番組名とその説明文とでフォント背景色を異ならせた場合の表示動作を説明するために示すフローチャート。
【図１３】同実施の形態における番組説明文を表示制御する動作を説明するために示すフローチャート。
【図１４】同実施の形態における番組説明文を放送時間帯に応じて表示制御する動作を説明するために示すフローチャート。
【図１５】同実施の形態における番組説明文をジャンルに応じて表示制御する動作を説明するために示すフローチャート。
【図１６】同実施の形態における番組説明文をサービスに応じて表示制御する動作を説明するために示すフローチャート。
【図１７】同実施の形態における番組説明文をメディアタイプに応じて表示制御する動作を説明するために示すフローチャート。
【図１８】同実施の形態における番組説明文をキーワードに応じて表示制御する動作を説明するために示すフローチャート。
【図１９】同実施の形態における番組説明文を視聴制限年齢に応じて表示制御する動作を説明するために示すフローチャート。
【符号の説明】
【０１１６】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…ブロードバンドルータ、３１…ネットワーク、３２…ＰＣ、３３…携帯電話、３４…ハブ、３５…携帯電話、３６…デジタルカメラ、３７…カードリーダ／ライタ、３８…ＨＤＤ、３９…キーボード、４０…ＡＶ−ＨＤＤ、４１…Ｄ−ＶＨＳ、４２…アンテナ、４３…入力端子、４４…チューナ、４５…ＰＳＫ復調器、４６…ＴＳ復号器、４７…信号処理部、４８…アンテナ、４９…入力端子、５０…チューナ、５１…ＯＦＤＭ復調器、５２…ＴＳ復号器、５３…チューナ、５４…アナログ復調器、５５…グラフィックス処理部、５６…音声処理部、５７ａ〜５７ｄ…入力端子、５８…ＯＳＤ信号生成部、５９…映像処理部、６０…出力端子、６１…出力端子、６２…制御部、６３…カードＩ／Ｆ、６４…カードホルダ、６５…カードＩ／Ｆ、６６…カードホルダ、６７…通信Ｉ／Ｆ、６８…通信Ｉ／Ｆ、６９…ＵＳＢ Ｉ／Ｆ、７０…ＩＥＥＥ１３９４ Ｉ／Ｆ。
【図１】
2008258664.tif 000003
【図２】
2008258664.tif 000004
【図３】
2008258664.tif 000005
【図４】
2008258664.tif 000006
【図５】
2008258664.tif 000007
【図６】
2008258664.tif 000008
【図７】
2008258664.tif 000009
【図８】
2008258664.tif 000010
【図９】
2008258664.tif 000011
【図１０】
2008258664.tif 000012
【図１１】
2008258664.tif 000013
【図１２】
2008258664.tif 000014
【図１３】
2008258664.tif 000015
【図１４】
2008258664.tif 000016
【図１５】
2008258664.tif 000017
【図１６】
2008258664.tif 000018
【図１７】
2008258664.tif 000019
【図１８】
2008258664.tif 000020
【図１９】
2008258664.tif 000021